(57)【要約】【課題】小寸法、小単位に規格化された組み合わせ式ステンドグラスを枠（フレーム）におさめることで、それぞれ接合し組み合わせ式ステンドグラスを可能にする。【解決手段】格子上に規格化された枠（フレーム）をおさめることが可能な枠（フレーム）を作成し、ステンドグラスをおさめた枠（フレーム）をその格子上に規格化された枠（フレーム）におさめ、固定し、その枠（フレーム）各々が上下左右、４方向に接合し、一体化された組み合わせ式ステンドグラスにする。【選択図】        図１
2005067053.tif 000002
【特許請求の範囲】
【請求項１】
各々、枠（フレーム）とステンドグラスの接続時の上下左右、枠（フレーム）の接続およびその構造
【請求項２】
各々、枠 (フレーム)とステンドグラスの接続時の固定およびその構造
【請求項３】
各々、枠（フレーム）におけるステンドグラスの固定およびその構造
【発明の詳細な説明】
【技術分野】
【０００１】
本発明は、小寸法、小単位に規格化された組み合わせ式ステンドグラスに関するものである。
【背景技術】
【０００２】
従来、ステンドグラスは、その設置する場所に合わせて図案、寸法を決定しそれぞれを個別に設計、制作、設置をおこなってきた。その為、技術的障壁、職人技的技術を持った者のみが制作してきたものであった。
【０００３】
しかし、そのため、それぞれが特別注文において１品、１品、制作される為、費用が高価になることが多く、一般人が欲しくてもなかなか手に入れられないのが現状であった。また、ステンドグラス製作者が、決まった図案のものが可能であっても、設置する場所、寸法によりその図案が使えなかったり、図案の変更、修正が必要であった。
【０００４】
そのため、量販品としての制作は不可能とされていた。
【０００５】
この改善策として、寸法が大きくなることが多いステンドグラスをある一定の寸法に図案化、規格化、小寸法化し、それぞれを接合していくことにより省力化、価格低減、量販を可能とする。
【非特許文献１】公開特許公報（Ａ）特許公開平１１−２４７３１２
【発明の開示】
【発明が解決しようとする課題】
【０００６】
解決しようとする問題点は、規格化、小寸法化したステンドグラスをそれぞれ接合することを容易にすることである。
【課題を解決するための手段】
【０００７】
この発明は、規格化されたステンドグラスを小寸法の規格化された枠（フレーム）内におさめ、固定し、その枠（フレーム）各々が上下左右、４方向に接合し、一体となるステンドグラスを形成することを最も主要な特徴とする。
【発明の効果】
【０００８】
この発明によって小寸法、小単位に規格化された組み合わせ式ステンドグラスは、ステンドグラスが納められる枠（フレーム）が小寸法である為、ステンドグラスを小寸法で制作でき、多数のそれぞれが一つの一体となったデザインを構成する。また、ステンドグラスと枠（フレーム）が容易に入れ替えることが可能なため、異なったデザインのステンドグラスでも適用できるような普通の技術者では考えつかないような効果が生まれた。
【発明を実施するための最良の形態】
【０００９】
ステンドグラスを枠（フレーム）内におさめ、各々を接合し一体化する目的を実現した。
【実施例１】
【００１０】
図１は、ステンドグラス、枠（フレーム）、固定用枠（フレーム）、ステンドグラス設置用枠（フレーム）を説明した実施例である。
【実施例２】
【００１１】
図２は、ステンドグラス、枠（フレーム）、固定用枠（フレーム）、ステンドグラス設置用枠（フレーム）の構成を説明した実施例である。
【実施例３】
【００１２】
図３は、ステンドグラスと枠（フレーム）の構成を説明した実施例である。
【実施例４】
【００１３】
図４は、ステンドグラスと枠（フレーム）の構成を説明した実施例（正面）である。取り外し可能な枠（フレーム）とステンドグラスにより、ステンドグラスの入れ替え、変更が容易におこなうことができる。
【実施例５】
【００１４】
図５は、ステンドグラスと枠（フレーム）の構成を説明した実施例（背面）である。
【実施例６】
【００１５】
図６は、小寸法、小単位に規格化されたステンドグラスの結合を説明した実施例である。
それぞれがえを定まった方向へ、スライドすることにより結合するものである。
【実施例７】
【００１６】
図７は、図６で結合した小寸法、小単位に規格化されたステンドグラスを固定する実施例である。図６で結合した小寸法、小単位に規格化されたステンドグラスを固定する３の固定用枠（フレーム）を定まった方向へ、スライドすることにより、固定し、力学的に強いものにする。
【実施例８】
【００１７】
図８は、図７の方法で結合された小寸法、小単位に規格化されたステンドグラスを４の    ステンドグラス設置用枠（フレーム）と５のステンドグラス設置用枠（フレーム）での結合の説明を実施した実施例である。ステンドグラス設置用枠（フレーム）を両側から挟み、
固定された小単位に規格化されたステンドグラスをステンドグラス設置用枠（フレーム）にはめ込み８のステンドグラス設置用枠（フレーム）固定用穴でネジ等の固定具を用いて固定するものである。
【実施例９】
【００１８】
図９は、３の固定用枠（フレーム）と５のステンドグラス設置用枠（フレーム）を固定する為の固定穴を説明した図である。
【実施例１０】
【００１９】
図１０は、図３の右横方面からの断面図である
【実施例１１】
【００２０】
図１１は、図３の左横方面からの断面図である
【実施例１２】
【００２１】
図１２は、ステンドグラス設置用枠（フレーム）の内側方面よりの断面図である
【実施例１３】
【００２２】
図１３は、図８より上面の、３の固定用枠（フレーム）を取り外した場合の上面方向よりの断面図である。
【産業上の利用可能性】
【００２３】
規格化されたものを小寸法の規格化された枠（フレーム）内におさめ、固定し、その枠（フレーム）各々が上下左右、４方向に接合し、一体となる視覚的効果を形成するものに利用可能である。
【図面の簡単な説明】
【００２４】
【図１】ステンドグラスと枠（フレーム）の１実施例である
【図２】ステンドグラス、枠（フレーム）、固定用枠（フレーム）、ステンドグラス設置用枠（フレーム）の構成を説明した実施例である。
【図３】ステンドグラスと枠（フレーム）を説明した実施例である
【図４】ステンドグラスと枠（フレーム）の構成を説明した実施例（正面）である
【図５】ステンドグラスと枠（フレーム）の構成を説明した実施例（背面）である
【図６】小寸法、小単位に規格化されたステンドグラスの結合を説明した実施例である
【図７】図６で結合した小寸法、小単位に規格化されたステンドグラスを固定する実施例である
【図８】図８は、図７の方法で結合された小寸法、小単位に規格化されたステンドグラスを４の    ステンドグラス設置用枠（フレーム）と５のステンドグラス設置用枠（フレーム）での結合説明を実施した実施例である。
【図９】図９は、３の固定用枠（フレーム）と５のステンドグラス設置用枠（フレーム）を固定する為の固定穴を説明した図である。
【図１０】図３の右横方面からの断面図である
【図１１】図３の左横方面からの断面図である
【図１２】図１２は、ステンドグラス設置用枠（フレーム）の内側方面よりの断面図である
【図１３】図８より上面の、３の固定用枠（フレーム）を取り外した場合の上面方向よりの断面図である。
【符号の説明】
【００２５】
１    枠（フレーム）
２    ステンドグラス
３    固定用枠（フレーム）
４    ステンドグラス設置用枠（フレーム）
５    ステンドグラス設置用枠（フレーム）
６    ステンドグラス固定用枠（フレーム）
７    ステンドグラス固定用枠（フレーム）固定具
８    ステンドグラス設置用枠（フレーム）固定穴
９    固定用穴
【図１】
2005067053.tif 000003
【図２】
2005067053.tif 000004
【図３】
2005067053.tif 000005
【図４】
2005067053.tif 000006
【図５】
2005067053.tif 000007
【図６】
2005067053.tif 000008
【図７】
2005067053.tif 000009
【図８】
2005067053.tif 000010
【図９】
2005067053.tif 000011
【図１０】
2005067053.tif 000012
【図１１】
2005067053.tif 000013
【図１２】
2005067053.tif 000014
【図１３】
2005067053.tif 000015